(57)【要約】【課題】  閉状態で各引戸をフラットにでき、外観上の見栄えを大幅に向上させること。開閉操作を容易にすること。【解決手段】  閉じた状態で連続して隣り合う３枚引戸の組が、中央引戸と、中央引戸の一方の側方に配置される一方引戸と、中央引戸の他方の側方に配置される他方引戸とからなる引戸装置である。３枚引戸の組は、閉じた状態では面一となるように配置され、上記面一に閉じられた状態にある３枚引戸の組において一方引戸を他方引戸側に向かって移動して一方引戸を他方引戸の前面に重なるように誘導し、且つ中央引戸を他方引戸側に向かって移動して他方引戸の後に重なるように誘導する誘導機構を備えた。【選択図】        図１
2005330794.tif 000002
【特許請求の範囲】
【請求項１】
３枚以上の引戸を備えた引戸装置であって、閉じた状態で連続して隣り合う３枚引戸の組が、中央引戸と、中央引戸の一方の側方に配置される一方引戸と、中央引戸の他方の側方に配置される他方引戸とからなり、上記３枚引戸の組は、閉じた状態では面一となるように配置され、上記面一に閉じられた状態にある３枚引戸の組において一方引戸を他方引戸側に向かって移動して一方引戸を他方引戸の前面に重なるように誘導し、且つ中央引戸を他方引戸側に向かって移動して他方引戸の後に重なるように誘導する誘導機構を備えたことを特徴とする引戸装置。
【請求項２】
３枚以上の引戸を備えた引戸装置であって、閉じた状態で連続して隣り合う３枚引戸の組が、中央引戸と、中央引戸の一方の側方に配置される一方引戸と、中央引戸の他方の側方に配置される他方引戸とからなり、上記３枚引戸の組は、閉じた状態では面一となるように配置され、上記面一に閉じられた状態にある３枚引戸の組において一方引戸を他方引戸側に向かって移動して一方引戸を他方引戸の前面に重なるように誘導し、且つ中央引戸を他方引戸側に向かって移動して他方引戸の後面に重なるように誘導する第１の開き動作と、上記面一に閉じられた状態にある３枚引戸の組において他方引戸を一方引戸側に向かって移動して他方引戸を一方引戸の前面に重なるように誘導し、且つ中央引戸を一方引戸側に向かって移動して一方引戸の後面に重なるように誘導する第２の開き動作とのいずれかを任意に選択自在な誘導機構を備えていることを特徴とする引戸装置。
【請求項３】
上記操作する方の一方引戸又は他方引戸のいずれかに追従して中央引戸を開閉させるための連動機構を備えていることを特徴とする請求項１又は請求項２記載の引戸装置。
【請求項４】
袖壁と、閉じた状態で袖壁に連続して直線上に配置される第１引戸と第２引戸とを備えた引戸装置であって、上記第１引戸と第２引戸とは閉じた状態で袖壁と面一となるように配置され、上記面一に閉じられた状態にある第１引戸と第２引戸において袖壁から離れた方の第２引戸を袖壁側に向かって移動して第２引戸を袖壁の前面に重なるように誘導し、且つ袖壁に近い方の第１引戸を袖壁側に向かって移動して袖壁の後面に重なるように誘導する誘導機構を備えたことを特徴とする引戸装置。
【請求項５】
上記操作する方の第２引戸に追従して第１引戸を開閉させるための連動機構を備えていることを特徴とする請求項４のいずれかに記載の引戸装置。
【請求項６】
上記連動機構は、操作する方の引戸の上端部から追従する方の引戸の移動径路に向って突出する当たり部と、当たり部の先端に設けた鉤形のフック部と、追従する方の引戸の上端部から突出して当たり部に当接可能で且つフック部に係脱可能な受け部材とを備えており、操作する方の引戸と追従する方の引戸とが左右にずれた状態では受け部材は当たり部及びフック部とは干渉せず、操作する方の引戸と追従する方の引戸とが概ね重なる段階で受け部材が当たり部に片当たりし、さらに操作する方の引戸と追従する方の引戸とが前後に離反する段階で受け部材が当たり部からフック部に係合可能となるように構成されていることを特徴とする請求項３又は請求項５記載の引戸装置。
【請求項７】
上記誘導機構は、上記３枚引戸の組を構成する中央引戸と一方引戸と他方引戸とを走行自在にガイドする上レールと、各引戸の上端部にそれぞれ設けた左右２個の上ランナーとを備え、上レールは、一方引戸と他方引戸の各上ランナーを走行自在にガイドする共用レール部と、中央引戸の上ランナーを走行自在にガイドする中央引戸用レール部とが設けられ、上記共用レール部は、上レールの長手方向と平行に延びた前側直進レール部と、前側直進レール部の長手方向の両端側から後方に延びた左右２個の外側曲進レール部と、前側直進レール部の長手方向の両端側よりも内側に寄った２箇所からそれぞれ分岐して後方に延びた左右２個の内側曲進レール部とを備え、上記中央引戸用レール部は、上記前側直進レール部と平行な後側直進レール部と、後側直進レール部における上記左右２個の内側曲進レール部と対向する位置よりもそれぞれ内側に寄った２箇所から前側に向って半円形状に湾曲した左右２個の湾曲レール部とを備え、３枚引戸の組を面一に閉じた状態では、一方引戸の各上ランナーが左側に位置する外側曲進レール部と内側曲進レール部の各後端部にそれぞれ入り込み、中央引戸の各上ランナーが左右２個の湾曲レール部の各前端部にそれぞれ入り込み、且つ他方引戸の各上ランナーが右側に位置する外側曲進レール部と内側曲進レール部の各後端部にそれぞれ入り込むことで、各引戸が上レールの長手方向と平行な同一平面となるように並置され、右開き状態では、他方引戸の各上ランナーが左側に位置する外側曲進レール部と内側曲進レール部の各後端部にそれぞれ入り込み、中央引戸の各上ランナーが後側直進レール部の左側にそれぞれ移動し、且つ一方引戸の各上ランナーが前側直進レール部の左側にそれぞれ移動することで、手前から順に一方引戸と他方引戸と中央引戸とが重ねて並置され、左開き状態では、一方引戸の各上ランナーが右側に位置する外側曲進レール部及び内側曲進レール部の各後端部にそれぞれ入り込み、中央引戸の各上ランナーが後側直進レール部の右側にそれぞれ移動し、且つ、他方引戸の各上ランナーが前側直進レール部の右側にそれぞれ移動することで、手前から順に他方引戸と一方引戸と中央引戸とが重ねて並置され、上記右開き状態と左開き状態とを選択自在となるように構成したことを特徴とする請求項１又は請求項２記載の引戸装置。
【請求項８】
上記各引戸の左右２個の上ランナーを、一対のローラーブロックと、各ローラーブロックの上面から上方に突出してその突出高さ及び突出位置がそれぞれ異なる補助ローラーとで構成すると共に、上記外側曲進レール部、内側曲進レール部、湾曲レール部の各分岐点に、それぞれ、補助ローラーの高低及び突出位置の違いに応じて分岐点における引戸の進行方向を直進又は曲進のいずれかに決めるための分岐部材を配設したことを特徴とする請求項７記載の引戸装置。
【請求項９】
上記各引戸の左右２個の上ランナーを、一対のローラーブロックと、ローラーブロックの上面から上方に突出してその突出高さ及び突出位置がそれぞれ異なる一対の凸部材とで構成すると共に、上記外側曲進レール部、内側曲進レール部、湾曲レール部の各分岐点に、それぞれ、凸部材の高低及び突出位置の違いに応じて分岐点における引戸の進行方向を直進又は曲進のいずれかに決めるための分岐部材を配設したことを特徴とする請求項７記載の引戸装置。
【請求項１０】
上記前側直進レール部及び後側直進レール部に沿って、それぞれ、ローラーブロックの両側面をガイドする前後一対のガイドリブを設け、上記外側曲進レール部、内側曲進レール部、湾曲レール部の各分岐点とそれぞれ対向するガイドリブの一部に、分岐部材によって曲進するローラーブロックを外側曲進レール部又は内側曲進レール部又は湾曲レール部のいずれかに進行させるための切欠穴を形成すると共に、この切欠穴と対向するレール部の内側に、分岐部材によって直進するローラーブロックを直進方向にガイドするための直進用ガイド部材を配設したことを特徴とする請求項８又は請求項９記載の引戸装置。
【請求項１１】
上記上ランナーを引戸の上端部に連結するためのランナー連結部材を、上ランナーが引戸の後面よりも後方にはみ出して位置するように略Ｌ字形に屈曲形成したことを特徴とする請求項７乃至請求項１０のいずれかに記載の引戸装置。
【請求項１２】
上記ランナー連結部材と上レールとの間に干渉部材を配置したことを特徴とする請求項１１記載の引戸装置。
【発明の詳細な説明】
【技術分野】
【０００１】
本発明は、引戸装置に関し、詳しくは閉状態で３枚引戸を面一となるように並置する技術に関するものである。
【背景技術】
【０００２】
従来から、３枚引戸の場合、各引戸が各々平行に直進移動して閉状態と右開き状態又は左開き状態となる引き違い式の引戸装置が知られている（例えば、特許文献１参照）。
【０００３】
ところが、従来では図２３に示すように、閉状態では手前側から後方にかけて各引戸１〜３が段差状となるため、外観上の見栄えが悪いだけでなく、各引戸１〜３ごとに上レールの長手方向と直交する前後方向に３本のレール部を並設する必要があり、このため上レールの全体の見込み寸法（奥行き）を大きくとる必要が生じるなど、施工自由度が小さいという制約もあった。
【特許文献１】実開昭５１−１０３５２４号公報
【発明の開示】
【発明が解決しようとする課題】
【０００４】
本発明は上記の従来の問題点に鑑みて発明したものであって、閉状態で各引戸をフラットにでき、外観上の見栄えを大幅に向上させることができると共に、開閉操作がきわめて容易になる引戸装置を提供することを課題とし、さらに上レール全体の見込み寸法を小さくでき、施工自由度を大きくできる引戸装置を提供することを課題とするものである。
【課題を解決するための手段】
【０００５】
前記課題を解決するために本発明は、３枚以上の引戸を備えた引戸装置であって、閉じた状態で連続して隣り合う３枚引戸１〜３の組が、中央引戸３と、中央引戸３の一方の側方に配置される一方引戸２と、中央引戸３の他方の側方に配置される他方引戸１とからなり、上記３枚引戸１〜３の組は、閉じた状態では面一となるように配置され、上記面一に閉じられた状態にある３枚引戸１〜３の組において一方引戸２を他方引戸１側に向かって移動して一方引戸２を他方引戸１の前面に重なるように誘導し、且つ中央引戸３を他方引戸１側に向かって移動して他方引戸１の後に重なるように誘導する誘導機構１９を備えたことを特徴としている。
【０００６】
また本発明は、３枚以上の引戸を備えた引戸装置であって、閉じた状態で連続して隣り合う３枚引戸１〜３の組が、中央引戸３と、中央引戸３の一方の側方に配置される一方引戸２と、中央引戸３の他方の側方に配置される他方引戸１とからなり、上記３枚引戸１〜３の組は、閉じた状態では面一となるように配置され、上記面一に閉じられた状態にある３枚引戸１〜３の組において一方引戸２を他方引戸１側に向かって移動して一方引戸２を他方引戸１の前面に重なるように誘導し、且つ中央引戸３を他方引戸１側に向かって移動して他方引戸１の後面に重なるように誘導する第１の開き動作と、上記面一に閉じられた状態にある３枚引戸１〜３の組において他方引戸１を一方引戸２側に向かって移動して他方引戸１を一方引戸２の前面に重なるように誘導し、且つ中央引戸３を一方引戸２側に向かって移動して一方引戸２の後面に重なるように誘導する第２の開き動作とのいずれかを任意に選択自在な誘導機構１９を備えていることを特徴としている。
【０００７】
上記のように３枚引戸１〜３の組が閉じた状態で一列に面一となるように配置されるように構成してあることで、閉じた状態で隣接する引戸１〜３間に段差が生じることがなくて、一連の連続した壁面としての外観を呈することができる。しかも、一方引戸２（又は他方引戸１）から開く際には一方引戸２を他方引戸１及び中央引戸３よりも手前側（室内側）に移動させるので、開閉操作がきわめて容易になると共に、例えばクローゼットの扉として用いた場合において、クローゼット内で荷崩れが発生した場合でも、一方引戸２（又は他方引戸１）を前方に開くことが可能となる。
【０００８】
また上記操作する方の一方引戸２又は他方引戸１のいずれかに追従して中央引戸３を開閉させるための連動機構１５を備えているのが好ましく、この場合、中央引戸３を手で開閉する必要がなくなり、開閉操作がきわめて容易となる。
【０００９】
また本発明は、袖壁２０と、閉じた状態で袖壁２０に連続して直線上に配置される第１引戸３と第２引戸２とを備えた引戸装置であって、上記第１引戸３と第２引戸２とは閉じた状態で袖壁２０と面一となるように配置され、上記面一に閉じられた状態にある第１引戸３と第２引戸２において袖壁２０から離れた方の第２引戸２を袖壁２０側に向かって移動して第２引戸２を袖壁２０の前面に重なるように誘導し、且つ袖壁２０に近い方の第１引戸を袖壁２０側に向かって移動して袖壁２０の後面に重なるように誘導する誘導機構１９を備えたことを特徴としている。
【００１０】
上記のように袖壁２０と２枚の引戸２，３が閉じた状態で一列に面一となるように配置されるように構成してあることで、２枚の引戸２，３を閉じた状態で隣接する袖壁２０間に段差が生じることがなくて、一連の連続した壁面としての外観を呈することができる。
【００１１】
また、上記操作する方の第２引戸２に追従して第１引戸３を開閉させるための連動機構１５を備えているのが好ましく、この場合、第１引戸３を手で開閉する必要がなくなり、開閉操作がきわめて容易となる。しかも、開く際には第２引戸２を第１引戸３よりも手前側（室内側）に移動させるので、開閉操作がきわめて容易になると共に、例えばクローゼットの扉として用いた場合において、クローゼット内で荷崩れが発生した場合でも、第２引戸２を前方に開くことが可能となる。
【００１２】
また、上記連動機構１５は、操作する方の引戸の上端部から追従する方の引戸の移動径路に向って突出する当たり部１５ａと、当たり部１５ａの先端に設けた鉤形のフック部１５ｂと、追従する方の引戸の上端部から突出して当たり部１５ａに当接可能で且つフック部１５ｂに係脱可能な受け部材１５ｃとを備えており、操作する方の引戸と追従する方の引戸とが左右にずれた状態では受け部材１５ｃは当たり部１５ａ及びフック部１５ｂとは干渉せず、操作する方の引戸と追従する方の引戸とが概ね重なる段階で受け部材１５ｃが当たり部１５ａに片当たりし、さらに操作する方の引戸と追従する方の引戸とが前後に離反する段階で受け部材１５ｃが当たり部１５ａからフック部１５ｂに係合可能となるように構成されているのが好ましく、この場合、フック部１５ｂ付き当たり部１５ａとこれを受ける受け部材１５ｃを備えた簡単な構造であるため、連動機構１５のコスト低減、組み立て性の向上を図ることができる。
【００１３】
また、上記誘導機構１９は、上記３枚引戸１〜３の組を構成する中央引戸３と一方引戸２と他方引戸１とを走行自在にガイドする上レール５と、各引戸１〜３の上端部にそれぞれ設けた左右２個の上ランナー２１〜２３とを備え、上レール５は、一方引戸２と他方引戸１の各上ランナー２１，２２を走行自在にガイドする共用レール部７と、中央引戸３の上ランナー２３を走行自在にガイドする中央引戸用レール部８とが設けられ、上記共用レール部７は、上レール５の長手方向と平行に延びた前側直進レール部９と、前側直進レール部９の長手方向の両端側から後方Ｂに延びた左右２個の外側曲進レール部１１と、前側直進レール部９の長手方向の両端側よりも内側に寄った２箇所からそれぞれ分岐して後方Ｂに延びた左右２個の内側曲進レール部１２とを備え、上記中央引戸用レール部８は、上記前側直進レール部９と平行な後側直進レール部１０と、後側直進レール部１０における上記左右２個の内側曲進レール部１２と対向する位置よりもそれぞれ内側に寄った２箇所から前側に向って半円形状に湾曲した左右２個の湾曲レール部１３とを備え、３枚引戸１〜３の組を面一に閉じた状態では、一方引戸２の上ランナー２２が左側に位置する外側曲進レール部１１と内側曲進レール部１２の各後端部にそれぞれ入り込み、中央引戸３の上ランナー２３が左右２個の湾曲レール部１３の各前端部にそれぞれ入り込み、且つ他方引戸１の上ランナー２１が右側に位置する外側曲進レール部１１と内側曲進レール部１２の各後端部にそれぞれ入り込むことで、各引戸１〜３が上レール５の長手方向と平行な同一平面となるように並置され、右開き状態では、他方引戸１の上ランナー２１が左側に位置する外側曲進レール部１１と内側曲進レール部１２の各後端部にそれぞれ入り込み、中央引戸３の上ランナー２３が後側直進レール部１０の左側にそれぞれ移動し、且つ一方引戸２の上ランナー２２が前側直進レール部９の左側にそれぞれ移動することで、手前から順に一方引戸２と他方引戸１と中央引戸３とが重ねて並置され、左開き状態では、一方引戸２の上ランナー２２が右側に位置する外側曲進レール部１１及び内側曲進レール部１２の各後端部にそれぞれ入り込み、中央引戸３の上ランナー２３が後側直進レール部１０の右側にそれぞれ移動し、且つ、他方引戸１の上ランナー２１が前側直進レール部９の右側にそれぞれ移動することで、手前から順に他方引戸１と一方引戸２と中央引戸３とが重ねて並置され、上記右開き状態と左開き状態とを選択自在となるように構成するのが好ましく、この場合、２本のレール部（共用レール部７、中央引戸用レール部８）で３枚引戸１〜３をガイドできるので、上レール５全体の見込み寸法Ｄを小さくすることが可能となる。
【００１４】
また、上記各引戸１〜３の左右２個の上ランナー２１〜２３を、一対のローラーブロック２４と、各ローラーブロック２４の上面から上方に突出してその突出高さ及び突出位置がそれぞれ異なる補助ローラー２５ａ，２５ｂ（或いは凸部材）とで構成すると共に、上記外側曲進レール部１１、内側曲進レール部１２、湾曲レール部１３の各分岐点に、それぞれ、補助ローラー２５ａと補助ローラー２５ｂの高低及び突出位置の違いに応じて分岐点における引戸１〜３の進行方向を直進又は曲進のいずれかに決めるための分岐部材１８を配設するのが好ましく、この場合、補助ローラー２５ａと補助ローラー２５ｂ（或いは凸部材）の進行方向を、外側曲進レール部１１、内側曲進レール部１２、湾曲レール部１３の各分岐点において直進か曲進かを決めることが可能となり、引戸１〜３の開閉操作をより一層、迅速、且つ、スムーズに行なうことができ、操作性が大幅に向上するものである。
【００１５】
また、上記前側直進レール部９及び後側直進レール部１０に沿って、それぞれ、ローラーブロック２４の両側面をガイドする前後一対のガイドリブ３８を設け、上記外側曲進レール部１１、内側曲進レール部１２、湾曲レール部１３の各分岐点とそれぞれ対向するガイドリブ３８の一部に、分岐部材１８によって曲進するローラーブロック２４を外側曲進レール部１１又は内側曲進レール部１２又は湾曲レール部１３のいずれかに進行させるための切欠穴３９を形成すると共に、この切欠穴３９と対向するレール部の内側に、分岐部材１８によって直進するローラーブロック２４を直進方向にガイドするための直進用ガイド部材２６を配設するのが好ましく、この場合、直進するローラーブロック２４が切欠穴３９の位置で回転したり、引っ掛って動かなくなったりして、開閉動作に支障をきたすような事態を、直進用ガイド部材２６によって防止できる。従って、直進するローラーブロック２４をスムーズに直進させることができる。
【００１６】
また、上記上ランナー２１〜２３を引戸１〜３の上端部に連結するためのランナー連結部材４０を、上ランナー２１〜２３が引戸１〜３の後面よりも後方Ｂにはみ出して位置するように略Ｌ字形に屈曲形成するのが好ましく、この場合、上レール５の見込み寸法（奥行き）を一層小さくしながら、開状態で操作する側の引戸１又は２の一方を扉枠４から前方Ａに飛び出た位置に配置させることが可能となる。
【００１７】
また、上記ランナー連結部材４０と上レール５との間に干渉部材１２０を配置するのが好ましく、この場合、引戸の連動開始時や引戸の全閉時に引戸に浮き上がりが発生するのを干渉部材１２０によって防止できる。従って、商品としての品位を高めることができると共に、引戸の浮き上がりによる上レール５の傷付き防止、さらに部品の破損を防止できるものである。
【発明の効果】
【００１８】
本発明に係る引戸装置は、３枚引戸の組が閉じた状態で一列に面一となるように配置されるように構成してあることで、閉じた状態で隣接する引戸間に段差が生じることがなくて、一連の連続した壁面としての外観を呈することができ、見栄えが大幅に向上するものである。しかも、一方引戸（又は他方引戸）から開く際には一方引戸を他方引戸及び中央引戸よりも手前側（室内側）に移動させるので、開閉操作がきわめて容易になると共に、例えばクローゼットの扉として用いた場合において、クローゼット内で荷崩れが発生した場合でも、一方引戸（又は他方引戸）を前方に開くことが可能となる。
【００１９】
また本発明に係る引戸装置は、２本のレール部（共用レール部、中央引戸用レール部）で３枚引戸をガイドできるので、上レール全体の見込み寸法を小さくでき、施工自由度を大きくできると共に、例えばクローゼットの扉として用いた場合は、従来と比較して収納量アップを図ることができる。
【発明を実施するための最良の形態】
【００２０】
以下、本発明を添付図面に示す実施形態に基いて説明する。
【００２１】
本実施形態の引戸装置は、図１６、図１７に示すように、閉じた状態で連続して隣り合う３枚引戸１〜３の組が、中央引戸３と、中央引戸３の右側方に配置される一方引戸２と、中央引戸３の左側方に配置される他方引戸１とからなり、上記３枚引戸１〜３の組は、閉じた状態では面一となるように配置され、後述の誘導機構１９により、面一に閉じられた状態において一方引戸２を他方引戸１側に向かって移動して一方引戸２を他方引戸１の前面に重なるように誘導し、且つ中央引戸３を他方引戸１側に向かって移動して他方引戸１の後に重なるように誘導して前後に重なり合う状態で開くことができるようになっている。
【００２２】
ここで、図１６は、一方引戸２を他方引戸１側に向かって移動して一方引戸２を他方引戸１の前面に重なるように誘導し、且つ中央引戸３を他方引戸１側に向かって移動して他方引戸１の後面に重なるように誘導する第１の開き動作を示し、図１７は、面一に閉じられた状態にある３枚引戸１〜３の組において他方引戸１を一方引戸２側に向かって移動して他方引戸１を一方引戸２の前面に重なるように誘導し、且つ中央引戸３を一方引戸２側に向かって移動して一方引戸２の後面に重なるように誘導する第２の開き動作を示し、図１６、図１７の例では、第１の開き動作と第２の開き動作のいずれかを任意に選択自在となっている。
【００２３】
また図１８、図１９は、４枚の引戸１ａ、１〜３を備えた引戸装置において、このうち左端の引戸１ａを固定し、他の３枚の引戸１〜３を右開きとした場合を示している。なお左開きの場合も同様である。また引戸の数は５枚以上であってもよい。
【００２４】
また図２０は、袖壁２０と、閉じた状態で袖壁２０に連続して直線上に配置される第１引戸３と第２引戸２とを備えた構造である。ここでは、第１引戸３が前記実施形態の中央引戸３、第２引戸２が一方引戸２をそれぞれ構成する。また本実施形態の袖壁２０は、前記図１６の他方引戸１（又は図１７の一方引戸２）を移動できないようにフランス落し（図示せず）で固定して袖壁２０兼引戸としてもよい。これにより袖壁２０に対して第１引戸３と第２引戸２は閉じた状態で面一となるように配置されると共に、面一に閉じられた状態にある第１引戸３と第２引戸２において、袖壁２０から離れた方の第２引戸２を袖壁２０側に向かって移動して第２引戸２を袖壁２０の前面に重なるように誘導し、且つ袖壁２０に近い方の第１引戸を袖壁２０側に向かって移動して袖壁２０の後面に重なるように誘導することで、袖壁２０の前後に重なり合う状態で開くことができるようになっている。なお図２０では右端に袖壁２０を配置した場合を説明したが、左端に袖壁２０を配置してもよい。
【００２５】
次に、誘導機構１９を説明する。本実施形態の誘導機構１９は、図８〜図１１に示すように、３枚引戸１〜３を走行自在にガイドする上レール５と、各引戸１〜３の上端部にそれぞれ設けた左右２個の上ランナー２１〜２３とを備えている。ここで、３枚引戸１〜３の扉枠４は、図１２に示すように、左右の縦枠４ａと上レール５と下レール６とで構成されている。
【００２６】
上レール５は、躯体に固定される上レール本体５０と、上レールカバー５１とで構成される。上レールカバー５１は、直進部レールカバー５１Ａ、曲進部レールカバー５１Ｂ、分岐部材１８等で構成される。そして、上レール本体５０に上レールカバー５１を取り付けた状態で、図１０、図１１に示すように、上レール本体５０と上レールカバー５１との隙間に、前後方向Ａ，Ｂに並んで、溝状の共用レール部７と溝状の中央引戸用レール部８とが並設されるようになっている。共用レール部７は、左右両側の引戸１，２の各上端部の両端２箇所に設けた左右２個の上ランナー２１、２２をそれぞれ走行自在にガイドするものであり、中央引戸用レール部８は中央引戸３の上端部に設けた左右２個の上ランナー２３を走行自在にガイドするものである。なお図１０中の２００は枠連結部材、Ｘは室内側、Ｙは天井側である。
【００２７】
上記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。
【００２８】
上記中央引戸用レール部８は、前側直進レール部９と平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。本例では外側曲進レール部１１、内側曲進レール部１２は、湾曲レール部１３は、曲進部レールカバー５１Ｂに各々形成されている。なお、曲進部レールカバー５１Ｂは分岐部材１８を介して上レール本体５０に対してネジ止め固定されており、直進部レールカバー５１Ａは上レール本体５０に対してネジ止め固定されている。
【００２９】
ここにおいて、上記前側直進レール部９に設けた左右２個の外側曲進レール部１１の後端部と、左右２個の内側曲進レール部１２の後端部と、後側直進レール部１０における左右２個の湾曲レール部１３の前端部とは、前側直進レール部９、後側直進レール部１０と平行な仮想直線上に位置している。また、左側の外側曲進レール部１１の後端部と左側の内側曲進レール部１２の後端部との間の距離は他方引戸１の左右の上ランナー２２間の距離に等しく、また、右側の外側曲進レール部１１の後端部と右側の内側曲進レール部１２の後端部との間の距離は一方引戸２の左右の上ランナー２１間の距離に等しく、更に、左右の湾曲レール部１３の前端部間の距離は中央引戸３１ｃの左右の上ランナー２３間の距離に等しく設定してある。なお図１（ａ）中の１０ａは、中央引戸３を左端に寄せたときに中央引戸３の右側の上ランナー２３が入り込む直進部分であり、図１（ａ）中の１０ｂは、中央引戸３を右端に寄せたときに中央引戸３の左側の上ランナー２３が入り込む直進部分である。
【００３０】
ここで、図２（ａ）に示す閉状態では、他方引戸１の各上ランナー２１が左側に位置する外側曲進レール部１１と内側曲進レール部１２の各後端部にそれぞれ入り込み、中央引戸３の各上ランナー２３が左右２個の湾曲レール部１３の各前端部にそれぞれ入り込み、且つ一方引戸２の各上ランナー２２が右側に位置する外側曲進レール部１１と内側曲進レール部１２の各後端部にそれぞれ入り込むことで、図３に示すように、各引戸１〜３が上レール５の長手方向Ｍと平行な同一平面となるように並置される。なお図３中の矢印Ａは部屋側、矢印Ｂはクローゼット側を示している。
【００３１】
一方、図２（ｄ）に示す右開き状態では、他方引戸１の各上ランナー２１が左側に位置する外側曲進レール部１１と内側曲進レール部１２の各後端部にそれぞれ入り込み、中央引戸３の各上ランナー２３が後側直進レール部１０の左側にそれぞれ移動し、且つ一方引戸２の各上ランナー２２が前側直進レール部９の左側にそれぞれ移動することで、手前から順に一方引戸２と他方引戸１と中央引戸３とが重ねて並置される。
【００３２】
また、左開き状態では、一方引戸２の各上ランナー２２が右側に位置する外側曲進レール部１１及び内側曲進レール部１２の各後端部にそれぞれ入り込み、中央引戸３の各上ランナー２３が後側直進レール部１０の右側にそれぞれ移動し、且つ、他方引戸１の各上ランナー２１が前側直進レール部９の右側にそれぞれ移動することで、手前から順に他方引戸１と一方引戸２と中央引戸３とが重ねて並置され、これら右開き状態と左開き状態とは選択自在となっている。つまり、誘導機構１９は、一方引戸２と中央引戸３と他方引戸１とを前後に重ねた状態で、中央引戸３を他方引戸１と重ならない位置に移動して他方引戸１と面一となるように誘導し、且つ一方引戸２を他方引戸１及び中央引戸３とは重ならない位置に移動して中央引戸３と面一となるように誘導する機能も兼ねている。
【００３３】
しかして、他方引戸１からの開閉、及び、一方引戸２からの開閉がそれぞれ可能な引戸装置において、閉状態では引戸１〜３が同一平面に並ぶことで、全体がフラットになり、例えば、クローゼットの扉として用いた場合、各引戸１〜３を周囲の室内壁１４（図３）と外観上の一体感をもたせることができるようになり、結果、従来の引き違い式の引き戸と比較して、外観上の見栄えが大幅に向上する。しかも、従来では上レール５の長手方向Ｍと直交する前後方向Ａ，Ｂに３本のレール部を並設しているため、上レール５全体の見込み寸法（奥行き）が大きくなるが、これに対して本発明の引戸装置は、２本のレール部（共用レール部７、中央引戸用レール部８）で各引戸１〜３をガイドできるので、上レール５全体の見込み寸法Ｄ（図１（ａ））を小さくすることが可能となり、この結果、例えばクローゼットの扉として用いた場合は、従来と比較して収納量アップを図ることができる。
【００３４】
図４（ａ）（ｂ）は連動機構１５の一例を示し、図５は右開き及び左開きの原理図を示し、図６は右開きの具体例を示している。図５（ａ）〜（ｃ）では一方引戸２を操作側引戸、他方引戸１を非操作側引戸とし、図５（ｄ）〜（ｆ）では他方引戸１を操作側引戸、一方引戸２を非操作側引戸としている。ここでは、図４（ｂ）に示すように、各引戸１〜３の相互の突き合わせ部には、互いに対向する一対の隙間隠し用Ｌ形部材１６が取り付けられている。図４（ａ）中の８０は当たり部固定ネジである。なお、必ずしも隙間隠し用Ｌ形部材１６を取り付ける必要はなく、例えば図４（ｃ）のように、各引戸１〜３の突き合わせ面に斜め形状のカット部１７を設けて各引戸１〜３間の隙間をなくすようにすることも可能である。
【００３５】
本実施形態の連動機構１５は、中央引戸３を操作側の他方引戸１又は一方引戸２と連動して開閉させるためのものであり、図４（ａ）（ｂ）に示すように、操作側引戸の把手側の上端面から中央引戸３の移動径路に向って突出する当たり部１５ａと、当たり部１５ａの先端に設けた鉤形のフック部１５ｂと、中央引戸３の上端面から突出して当たり部１５ａに当接可能で且つフック部１５ｂに係脱可能な受け部材１５ｃとで構成されている。図４（ｂ）に示す例では、軸形状をした受け部材１５ｃを隙間隠し用Ｌ形部材１６の入隅部にネジ８１で固定しており、受け部材１５ｃの上端を中央引戸３の上面よりも上方に突出させている。そして例えば図６に示すように右開きにする場合は、一方引戸２と中央引戸３とが図６（ａ）のように左右にずれた状態では受け部材１５ｃは当たり部１５ａ及びフック部１５ｂとは干渉せず、一方引戸２と中央引戸３とが図６（ｂ）のように概ね重なる段階で受け部材１５ｃが当たり部１５ａに片当たりして一方引戸２と中央引戸３との連動が始まり、図６（ｃ）のように他方引戸１を挟んで一方引戸２と中央引戸３とが前後方向Ａ，Ｂに向って離反する段階で受け部材１５ｃが当たり部１５ａからフック部１５ｂに係合した状態となる。この係合状態は一方引戸２及び中央引戸３開位置になるまで持続される。逆に閉じる場合は、受け部材１５ｃがフック部１５ｂに入りこんでいるために、一方引戸２を途中まで閉じる段階までは中央引戸３は連動し、中央引戸３の閉位置で受け部材１５ｃがフック部１５ｂから外れ、さらに当たり部１５ａから離れることで、一方引戸２を閉位置まで単独で移動させることができる。従って、連動機構１５によって中央引戸３を連動させて開閉することが可能となり、中央引戸３を手で開閉する必要がなくなり、開閉操作がきわめて容易となる。
【００３６】
しかして、３枚以上の引戸において、左右両側から他方引戸１又は一方引戸２からの連動開閉が可能となり、且つ３枚引戸１〜３が連動されて、全閉時に一方引戸２（操作側引戸）が他方引戸１（非操作側引戸）よりも手前側（室内側）に、中央引戸３が他方引戸１よりも奥側（収納側）に納まるようになる。従って、中央引戸３を手で開閉する必要がなくなり、開閉操作がきわめて容易となると共に、連動機構１５はフック部１５ｂ付き当たり部１５ａとこれを受ける受け部材１５ｃを備えた簡単な構造であるため、連動機構１５のコスト低減、組み立て性の向上を図ることができる。
【００３７】
なお本実施形態では、図５、図６に示すように、中央引戸３の両端側にそれぞれ受け部材１５ｃを取り付け、一方引戸２の右端（把手側）、及び、他方引戸１の左端（把手側）に、それぞれ、フック部１５ｂ付き当たり部１５ａを取り付けた構成となっているため、左開きと左開きのいずれの場合も、連動機構１５が働く構造となる。
【００３８】
次に、引戸１〜３の開閉操作を一層容易に行なうための分岐部材１８について説明する。図１３（ａ）に示すように、外側曲進レール部１１、内側曲進レール部１２、湾曲レール部１３の各分岐点には、それぞれ、補助ローラー２５ａと補助ローラー２５ｂの高低及び突出位置の違いに応じて分岐点における引戸１〜３の進行方向を直進又は曲進のいずれかに決めるための分岐部材１８が配設されている。
【００３９】
ここで、各分岐部材１８は、共用レール部７又は中央引戸用レール部８の上方位置から異なる長さで垂下した第１乃至第６の補助レール１８ａ〜１８ｆ（図１（ａ）、図９（ａ））で構成されている。各分岐部材１８には、図１４に示すネジ止め用のボス６５が突設され、分岐部材１８を直進部レールカバー５１Ａの上方に配置してボス６５の下端部を直進部レールカバー５１Ａのネジ孔に当て、直進部レールカバー５１Ａの下方からネジ具を通してボス６５に螺合させることによって、各分岐部材１８を直進部レールカバー５１Ａの各レール部１１〜１３から浮かせた状態でネジ固定できるようになっている。なお、図１３（ａ）、図１４では補助レール１８ａ〜１８ｆを別体で構成した場合を説明しているが、これに限らず、図１３（ｂ）、図１５に示すように、補助レール１８ｂ，１８ｅを一体化し、補助レール１８ｄ，１８ｆを一体化して構成することも可能である。
【００４０】
一方、各引戸１〜３の上ランナー２１〜２３は、図７、図９に示すように、ローラーブロック２４と、ローラーブロック２４の上面から上方に突出する補助ローラー２５ａと、別のローラーブロック２４の上面から上方に突出する補助ローラー２５ｂとで構成されている。なお、補助ローラー２５ａ，２５ｂに代えて、高さの異なる凸部材をローラーブロック２４の上面から上方に突出させ、これを分岐部材１８にてガイドするようにしてもよい。
【００４１】
上記ローラーブロック２４は、図７に示すように、樹脂製のローラー支持台３０の横方向に貫通する孔３３にローラー横軸３１を貫通させ、ローラー横軸３１の両端に一対の上ローラー３４が回転自在に取り付けられ、この一対の上ローラー３４が共用レール部７又は中央引戸用レール部８に沿って回転自在に走行される。本実施形態では、ローラー横軸３１の先端３１ａをカシメることで、上ローラー３４はローラー横軸３１に取り付けられている。またこのとき、上ローラー３４の外側面３４ｂには凹段部３４ａが形成され、ローラー横軸３１の先端３１ａのカシメ部分が上ローラー３４の外側面３４ｂよりも外方に突出しないようにしてある。さらにローラー支持台３０のセンター位置には縦方向に座ぐり孔３５が形成され、ローラー縦軸３２を座ぐり孔３５からローラー横軸３１の中心に設けた貫通孔３６を通して、引戸１〜３側に取り付けたＬ形金具からなるランナー連結部材４０に対してカシメることで、ローラー支持台３０をローラー縦軸３２回りに回転自在としている。さらに、ローラー支持台３０のローラー縦軸３２よりも前方Ａ又は後方Ｂのいずれかに寄せて補助ローラー２５ａ又は２５ｂが取付軸３７にて各々取り付けられており、この補助ローラー２５ａ又は２５ｂが分岐部材１８の補助レール１８ａ〜１８ｆによって曲進又は直進のいずれかに案内されるようになっている。なお本例ではローラー支持台３０とローラー縦軸３２とローラー横軸３１を別構成としているが、ローラー支持台３０の成形時にローラー縦軸３２とローラー横軸３１を一体に作り込むことも可能である。
【００４２】
ここで、上記上ローラー３４は、互いに直交するローラー横軸３１とローラー縦軸３２とによって複数方向に回転自由度を持っているため、直進だけでなく、曲進の場合の走行の安定感も同時に得られるようになる。従って、補助ローラー２５ａ又は２５ｂが補助レール１８ａ〜１８ｆのいずれかに沿って曲進する際に、擦れ等による金属音の発生や摩擦の発生を防止できると共に、仮りに補助レール１８ａ〜１８ｆの曲率半径を小さくした場合でも、スムーズな曲進走行を実現できるようになる。さらに補助レール１８ａ〜１８ｆの曲率半径を小さくすることで、ローラーブロック２４の小型化が容易となり、結果、上レール５の小型化を図ることが容易となる。また、ローラーブロック２４を樹脂製とすることで、引戸１〜３が開位置又は閉位置まで移動したときの衝撃の発生を緩和でき、使い勝手も良くなる。ちなみに、補助レール１８ａ〜１８ｆの曲率半径を大きくすると、上レール５が大きくなり、開状態において引戸１〜３間の隙間も大きくなる弊害があるが、本発明ではかかる弊害はない。
【００４３】
また本実施形態では、図７（ｂ）（ｃ）に示すように、上ランナー２１〜２３を引戸１〜３の上端部に連結するためのランナー連結部材４０を、上ランナー２１〜２３が引戸１〜３の後面よりも後方Ｂはみ出して位置するように略Ｌ字形に屈曲形成している。本実施形態では、ランナー連結部材４０の垂直部分を引戸１〜３側に固定し、水平部分に上ランナー２１（又は２２、２３）を枢着している。このように、ランナー連結部材４０を略Ｌ字形に屈曲させることで、扉枠の見込み寸法（奥行き）を従来よりも小さくした場合でも、図８に示すように、引戸１〜３の開動作時に一方引戸２（操作側引戸）を室内側に突出させて配置できる。従って、クローゼットの場合、従来品よりも収納容量がアップすると共に、収納庫内に荷崩れが発生した場合でも、少なくとも１枚の引戸を開けることができる。また、室内から下レール６が見えにくくなり、見栄えが一層向上する。
【００４４】
ところで、引戸２，３の上端部に連動機構１５を設けている場合、引戸２，３の連動開始時や引戸の全閉時に、フック部１５ｂを回転中心、把手部を力点として、把手が取り付けられていない側の引戸の端部側に浮き上がりが発生しやすい。この浮き上がりが発生すると、商品としての品位を損なうだけでなく、フック部１５ｂが上レール５と接触して傷がついたり、或いは引戸の浮き上がりと同時にローラーブロック２４が浮き上がり、上レール５内部の分岐部材１８を破損させるという問題がある。そこで、本発明では、図９に示すように、ランナー連結部材４０と上レール５との間に、樹脂製スペーサからなる干渉部材１２０を配置している。これにより、引戸の浮き上がりを最小限に押えるだけでなく、浮き上がりによる上レール５の傷付きを防止でき、さらに分岐部材１８の破損を防止できるようになる。
【００４５】
さらに本実施形態では、各引戸１〜３において、上記補助ローラー２５ａと補助ローラー２５ｂの突出高さ及びその突出位置を異ならせている。ここでは図１（ｂ）、図９に示すように、一方引戸２及び他方引戸１の左側の補助ローラー２５ｂを手前側の位置から高く低く突出させ、右側の補助ローラー２５ａを後前側の位置から低く突出させている。また、中央引戸３の左側の補助ローラー２５ａを手前側の位置から低く突出させ、右側の補助ローラー２５ｂを後側の位置から高く突出させている。
【００４６】
一方、第１の補助レール１８ａは、図１（ａ）、図２に示すように、前側直進レール部９よりも手前側の位置から左側の外側曲進レール部１１に沿って短く垂下しており、第２の補助レール１８ｂは、前側直進レール部９よりも後側の位置から左側の内側曲進レール部１２に沿って長く垂下している。第３の補助レール１８ｃは、前側直進レール部９よりも後側の位置から右側の外側曲進レール部１１に沿って長く垂下しており、第４の補助レール１８ｄは、前側直進レール部９よりも手前側の位置から右側の内側曲進レール部１２に沿って短く垂下している。また、第５の補助レール１８ｅは、後側直進レール部１０よりも手前側の位置から左側の湾曲レール部１３に沿って長く垂下しており、第６の補助レール１８ｆは、後側直進レール部１０よりも後側の位置から右側の湾曲レール部１３に沿って短く垂下している。
【００４７】
さらに本実施形態では、前側直進レール部９及び後側直進レール部１０に沿って、それぞれ、ローラーブロック２４の両側面をガイドする前後一対のガイドリブ３８を設け、上記外側曲進レール部１１、内側曲進レール部１２、湾曲レール部１３の各分岐点とそれぞれ対向するガイドリブ３８の一部に、分岐部材１８によって曲進するローラーブロック２４を外側曲進レール部１１又は内側曲進レール部１２又は湾曲レール部１３のいずれかに進行させるための切欠穴３９（図１１）を形成している。さらに切欠穴３９と対向するレール部の内側に、分岐部材１８によって直進するローラーブロック２４を直進方向にガイドするための直進用ガイド部材２６を配設している。本実施形態の直進用ガイド部材２６は、短い補助レール１８ｂを横切る直進用ガイド部材２６ａと、長い垂下長に補助レール１８ｄと並設される直進用ガイド部材２６ｂと、左側の長い湾曲レール部１３と並設される直進用ガイド部材２６ｃと、右側の短い湾曲レール部１３を横切る直進用ガイド部材２６ｄとからなる。
【００４８】
ここにおいて、各引戸１〜３を閉じた状態では、図１４に示すように、他方引戸１の左側の高い補助ローラー２５ｂは短い補助レール１８ａに入り込み且つ右側の低い補助ローラー２５ａは長い補助レール１８ｂに入り込んでいる。また中央引戸３の左側の低い補助ローラー２５ａは長い補助レール１８ｅに入り込み且つ右側の高い補助ローラー２５ｂは短い補助レール１８ｆに入り込んでいる。また、一方引戸２の左側の高い補助ローラー２５ｂは短い補助レール１８ｄに入り込み且つ右側の低い補助ローラー２５ａは長い補助レール１８ｃに入り込んでいる。
【００４９】
この閉じた状態から例えば一方引戸２を左側に開くと、一方引戸２の高い補助ローラー２５ｂは補助レール１８ｂの手前を通過して補助レール１８ａの手前まで直進し、低い補助ローラー２５ａは短い補助レール１８ｄの下をくぐって補助レール１８ｂの手前位置まで直進する。これにより一方引戸２の各上ランナー２２を左側の外側曲進レール部１１と内側曲進レール部１２にそれぞれスムーズに移動させることができる。また一方引戸２と連動して開く中央引戸３は、左側の低い補助ローラー２５ａが後側直進レール部１０の左側に移動し、右側の高い補助ローラー２５ｂが直進用ガイド部材２６ｃ（図１４（ａ））にガイドされることにより、中央引戸３の各上ランナー２３を後側直進レール部１０の左側と直進部１０ａ（図１（ａ））とにそれぞれスムーズに移動させることができる。なお他方引戸１を右側に開く場合も同様である。
【００５０】
このように、補助レール１８ａ〜１８ｆの高さ及び位置を異ならせ、一方、引戸１〜３の各補助ローラー２５ａと補助ローラー２５ｂの高さ及び位置を異ならせるだけで、外側曲進レール部１１、内側曲進レール部１２、湾曲レール部１３の各分岐点において引戸１〜３の進行方向を直進か曲進かを決めることが可能となり、従って、引戸１〜３の開閉操作をより一層、迅速、且つ、スムーズに行なうことができ、操作性が大幅に向上するものである。
【００５１】
ちなみに、直進用ガイド部材２６がない場合は、切欠穴３９（図１１）の位置で直進するローラーブロック２４が回転したり、引っ掛って動かなくなったりして、開閉動作に支障をきたすことになる。また図１４において、補助レール１８ｄ、１８ｅによって直進用ガイド部材２６が分断される場合でも、直進用ガイド部材２６の分断部にテーパー１００ａ等を設けることにより、ローラーブロック２４が回転できない状態にしてスムーズに直進させることが可能となる。
【００５２】
次に、下レール６を説明する。図２１に示すように、各引戸１（２，３）の下端部の中央の１箇所には下ローラー４１が突設されている。本実施形態では、引戸１の下端部に設けた下方に開口する左右２個の凹所５００に、下方に開口するケーシング５０１をそれぞれ嵌め込み、各ケーシング５０１内部にロッド５０２をそれぞれ収納すると共に、ケーシング５０１天面とロッド５０２との間に押下げバネ１１０を介在させてある。ロッド５０２はケーシング５０１下面にて抜け止めされている。これにより、２個のロッド５０２は押下げバネ１１０によってそれぞれ下方にバネ付勢された状態で引戸１の下方に突出しており、各ロッド５０２の下端部を平板状のローラー支持金具８０の後端部の上面の２箇所に取り付けてある。ローラー支持金具８０の前端部の中央下面側には１個の下ローラー４１が回転自在に支持されている。この下ローラー４１をガイドする下レール６には、図２２に示すように、共用レール部１０１の長手方向Ｍの両端側から後方Ｂに向って傾斜した左右の曲進レール部４２，４３がそれぞれ設けられ、中央引戸用レール部１０２の中央部から前方Ａに向って半円形状に湾曲した１つの湾曲レール部４４が設けられている。なお図２２中の４５は分岐用補助レールである。
【００５３】
ここで、下レール６の左側の曲進レール部４２の位置は、上レール５の左側の外側曲進レール部１１と内側曲進レール部１２との中間位置に対向しており、下レール６の右側の曲進レール部４３の位置は、上レール５の右側の外側曲進レール部１１と内側曲進レール部１２との中間位置に対向しており、下レール６の湾曲レール部４４の位置は、上レール５の左右の湾曲レール部１３，１３の中間位置に対向している。
【００５４】
そして、各引戸１（２，３）の上端部は左右２個の上ランナー２１（２２，２３）で吊り下げ支持され、下端部は１個の下ローラー４１で下レール６にガイドされる結果、各引戸１〜３の走行の安定化を十分に図ることができると共に、１個の下ローラー４１を用いることで、下レール６の溝形状を上レール５の溝形状よりも簡易にでき、下レール６のコスト低減を図ることができる利点もある。
【００５５】
なお前記実施形態では、連動機構１５付き引戸装置を説明したが、連動機構１５を省略して、各引戸を単独で手動開閉させることも可能である。
【００５６】
本発明に係る引戸装置は、クローゼットの扉以外に各種の開閉扉の分野に広く適用可能である。
【図面の簡単な説明】
【００５７】
【図１】（ａ）は本発明の一実施形態に用いる上レールの下面図、（ｂ）は引戸の補助ローラーの位置及び高さを説明する平面図である。
【図２】（ａ）〜（ｄ）は同上の３枚引戸を閉状態から右開き状態にする場合を説明する平面図である。
【図３】同上の３枚引戸の閉状態を示す平面図である。
【図４】（ａ）（ｂ）は同上の連動機構の説明図、（ｃ）は他の実施形態の説明図である。
【図５】（ａ）〜（ｃ）は同上の引戸の閉状態から右開き状態への移行を説明する原理図、（ｄ）〜（ｆ）は同上の引戸の閉状態から左開き状態への移行を説明する原理図である。
【図６】（ａ）〜（ｄ）は同上の引戸の閉状態から右開き状態への移行を具体的に説明する平面図、（ｅ）は（ａ）のイ部の拡大図、（ｆ）は（ａ）のロ部の拡大図、（ｇ）は（ａ）のハ部の拡大図、（ｈ）は（ａ）のニ部の拡大図である。
【図７】（ａ）は同上の上ランナーの分解斜視図、（ｂ）は低い補助ローラーを前側に寄せて設けたローラーブロックの斜視図、（ｃ）は高い補助ローラーを後方に寄せて設けたローラーブロックの斜視図である。
【図８】同上の上レールに補助ローラー付きローラーブロックを吊り下げ支持した状態の説明図である。
【図９】（ａ）は同上の低い補助ローラーを備えたローラーブロックを取り付けた状態の説明図、（ｂ）は当該引戸の高い補助ローラーを備えたローラーブロックを取り付けた状態の説明図である。
【図１０】同上の誘導機構を下方から見た斜視図である。
【図１１】同上の誘導機構の分解斜視図である。
【図１２】（ａ）は同上の引戸装置の正面図、（ｂ）は平面図、（ｃ）は側面図である。
【図１３】（ａ）は同上の複数の分岐部材を設置した場合の説明図、（ｂ）は隣り合う２つの分岐部材を一体化した場合の説明図である。
【図１４】（ａ）は図１３（ａ）の左側の要部拡大図、図１３（ａ）の右側の要部拡大図である。
【図１５】（ａ）は図１３（ｂ）の左側の要部拡大図、図１３（ｂ）の右側の要部拡大図である。
【図１６】同上の３枚引戸の右開き動作の説明図である。
【図１７】同上の３枚引戸の左開き動作の説明図である。
【図１８】同上の４枚引戸のうち３枚引戸の組の右開き動作の説明図である。
【図１９】同上の４枚引戸のうち３枚引戸の組の左開き動作の説明図である。
【図２０】同上の袖壁と２枚引戸の開き動作の説明図である。
【図２１】（ａ）は同上の引戸の斜視図、（ｂ）は下ランナーの斜視図、（ｃ）は断面図である。
【図２２】同上の下レールの平面図である。
【図２３】従来の３枚引戸の閉状態を示す平面図である。
【符号の説明】
【００５８】
１  他方引戸
２  一方引戸
３  中央引戸
５  上レール
７  共用レール部
８  中央引戸用レール部
９  前側直進レール部
１０  後側直進レール部
１１  外側曲進レール部
１２  内側曲進レール部
１３  湾曲レール部
１５  連動機構
１５ａ  当たり部
１５ｂ  フック部
１５ｃ  受け部材
１８  分岐部材
１９  誘導機構
２１〜２３  上ランナー
２４  ローラーブロック
２５ａ，２５ｂ  補助ローラー
２６  直進用ガイド部材
３８  ガイドリブ
３９  切欠穴
４０  ランナー連結部材
【図１】
2005330794.tif 000003
【図２】
2005330794.tif 000004
【図３】
2005330794.tif 000005
【図４】
2005330794.tif 000006
【図５】
2005330794.tif 000007
【図６】
2005330794.tif 000008
【図７】
2005330794.tif 000009
【図８】
2005330794.tif 000010
【図９】
2005330794.tif 000011
【図１０】
2005330794.tif 000012
【図１１】
2005330794.tif 000013
【図１２】
2005330794.tif 000014
【図１３】
2005330794.tif 000015
【図１４】
2005330794.tif 000016
【図１５】
2005330794.tif 000017
【図１６】
2005330794.tif 000018
【図１７】
2005330794.tif 000019
【図１８】
2005330794.tif 000020
【図１９】
2005330794.tif 000021
【図２０】
2005330794.tif 000022
【図２１】
2005330794.tif 000023
【図２２】
2005330794.tif 000024
【図２３】
2005330794.tif 000025